(57)【要約】【課題】本発明は、乗車中であっても、簡単且つ安全に楽曲データの配信を受けることができる配信方法を提供することを目的とする。【解決手段】車載端末（６０）において、放送局からの放送信号を受信し、トリガ入力を行い、トリガ入力が行われた時刻情報を検出し、放送局に対して前記時間情報を送信して放送局から前記トリガ入力が行われた時刻に放送されていた楽曲の情報を受信し、楽曲データの配信を行う配信会社サーバ(２０)へ前記受信した楽曲の情報を送信することを特徴とする楽曲データ配信方法。【選択図】図１
2008122973.tif 000002
【特許請求の範囲】
【請求項１】
車載端末において、
放送局からの放送信号を受信し、
トリガ入力を行い、
前記トリガ入力が行われた時刻情報を検出し、
前記放送局に対して前記時間情報を送信して、前記放送局から前記トリガ入力が行われた時刻に放送されていた楽曲の情報を受信し、
楽曲データの配信を行う配信会社サーバへ前記受信した楽曲の情報を送信する、
ことを特徴とする楽曲データ配信方法。
【請求項２】
車載端末は、放送局からの放送信号を受信し、トリガ入力を行い、前記トリガ入力が行われた時刻情報を検出し、前記放送局に対して前記時間情報を送信して、前記放送局から前記トリガ入力が行われた時刻に放送されていた楽曲の情報を受信し、配信会社サーバへ前記受信した楽曲の情報を送信し、
前記配信会社サーバは、前記楽曲の情報を受信し、受信した前記楽曲の情報に応じた楽曲データを検索し、前記検索された楽曲データを前記車載端末に送信する、
ことを特徴とする楽曲データ配信方法。
【発明の詳細な説明】
【技術分野】
【０００１】
本発明は、楽曲データの配信方法に関する。
【背景技術】
【０００２】
従来より、インターネット等の通信回線を利用して楽曲データを配信するサービスが存在している。これは、楽曲データの配信を希望するユーザが、自己のパーソナルコンピュータ（ＰＣ）や携帯端末等からインターネットを介して音楽配信用のサイトにアクセスし、音楽配信用のサイトから楽曲データを自己のＰＣ又は携帯端末のメモリにダウンロードして記憶し、特定の再生ソフトウエアを用いて記憶された楽曲データを再生するというものである。
【発明の開示】
【発明が解決しようとする課題】
【０００３】
このような従来の音楽配信サービスにおいて、ユーザは、自己のＰＣ又は携帯端末を用いて、配信を希望する楽曲データを選曲して配信を受けるために、キーボードによる入力やマウス等によってカーソルを移動させて選曲やその他の手続を行うことが一般的であった。
【０００４】
しかしながら、今後普及するであろう、車載ＰＣ等を用いて音楽配信サービスを受けようとしても、運転手を含む搭乗者は、操作性や安全性の問題から車に乗車中に種々の操作を行うことが困難な状況にある。
【０００５】
そこで、本発明は、車に乗車中であっても、簡単且つ安全に楽曲データの配信を受けることができる配信方法を提供することを目的とする。
【課題を解決するための手段】
【０００６】
上記課題を解決するために、本発明による楽曲データ配信方法は、車載端末において、配信を希望する楽曲に関する音声を入力し、音声に応じたデータを生成し、生成したデータを楽曲データの検索のために、楽曲データの配信を行う配信会社サーバへ送信することを特徴とする。
【０００７】
また、上記課題を解決するために、本発明による楽曲データ配信方法は、配信会社サーバにおいて、車載端末から配信を希望する楽曲に関する音声に応じたデータを受信し、受信したデータに対応する楽曲データを検索し、検索された楽曲データを車載端末に配信することを特徴とする。
【０００８】
また、上記課題を解決するために、本発明による楽曲データ配信方法は、車載端末は、配信を希望する楽曲に関する音声を入力し、音声に応じたデータを生成し、データを配信会社サーバへ送信し、配信会社サーバは、データを受信し、受信したデータに応じた楽曲データを検索し、検索された楽曲データを車載端末に配信することを特徴とする。
【０００９】
さらに、配信を希望する楽曲に関する音声は、配信を希望する楽曲のメロディであり、データは入力されたメロディのピッチデータであることが好ましい。音程（ピッチ）認識技術を用いて、ピッチデータから配信を希望する楽曲の検索を行えるようにしたものである。
【００１０】
さらに、メロディは、配信を希望する楽曲の一部であることが好ましい。一部（例えば楽曲のサビの部分）のピッチデータからでも検索が行えるようにしたものである。
【００１１】
さらに、配信を希望する楽曲に関する音声は、配信を希望する楽曲の歌詞、曲名、アーティスト名、又はジャンルであることが好ましい。音声認識技術を用いて、車の搭乗者等に搭乗者が、口頭で検索を行えるようにしたものである。
【００１２】
さらに、配信会社サーバは、楽曲毎に、ピッチデータ、歌詞データ、曲名データ、アーティスト名データ、ジャンルデータを対応付けて記憶するデータベースを有しており、データベースに基づいて、受信したデータに応じた楽曲データの検索を行うことが好ましい。
【００１３】
さらに、データベースに基づいた楽曲データの検索は、複数のデータに基づいて実行されることが好ましい。複数の検索項目を用いて、絞込み検索ができるようにしたものである。
【００１４】
さらに、配信会社サーバは、データベースに基づいた楽曲データの検索によって、複数の候補曲を抽出し、抽出された複数の候補曲の関する情報を車載端末に送信することが好ましい。検索によって、一曲に絞り込めない場合等に、候補曲を提示するようにしたものである。
【００１５】
さらに、候補曲に関する情報は、候補曲の楽曲データの一部であることが好ましい。例えば、候補曲のサビの部分の楽曲データを送信し、候補曲の中からの選択を容易にするようにしたものである。
【００１６】
さらに、楽曲データは、配信会社サーバが独自に選択した複数の楽曲に対応していることが好ましい。選択される楽曲は、１つの曲に限られることなく、オムニバス形式に複数の楽曲が入った楽曲パックであることを示したものである。
【００１７】
また、上記課題を解決するために、本発明による楽曲データ配信方法は、車載端末において、放送局からの放送信号を受信し、トリガ入力を行い、トリガ入力が行われた時刻情報を検出し、放送局に対して時間情報を送信して、放送局からトリガ入力が行われた時刻に放送されていた楽曲の情報を受信し、楽曲データの配信を行う配信会社サーバへ受信した楽曲の情報を送信することを特徴とする。ＴＶ又はラジオの放送局から受信するＴＶ又はラジオ番組を視聴している時に、配信を希望する楽曲が見つかった場合、車の搭乗者又は搭乗者からのトリガ入力に応じて、希望する楽曲の配信を受けられるようにしたものである。
【００１８】
また、上記課題を解決するために、本発明による楽曲データ配信方法は、車載端末が、放送局からの放送信号を受信し、トリガ入力を行い、トリガ入力が行われた時刻情報を検出し、放送局に対して時間情報を送信して、放送局からトリガ入力が行われた時刻に放送されていた楽曲の情報を受信し、配信会社サーバへ前記受信した楽曲の情報を送信し、配信会社サーバは、楽曲の情報を受信し、受信した前記楽曲の情報に応じた楽曲データを検索し、検索された楽曲データを車載端末に送信することを特徴とする。
【００１９】
また、上記課題を解決するために、本発明による楽曲データ配信方法は、車載端末において、車載端末が載置されている車の位置に関する情報を検出し、車の位置に関する情報を、楽曲データの配信を行う配信会社サーバへ送信することを特徴とする。
【００２０】
また、上記課題を解決するために、本発明による楽曲データ配信方法は、配信会社サーバにおいて、車載端末から、車載端末が載置されている車の位置に関する情報を受信し、車の位置に関する情報に対応する楽曲データを検索し、検索された楽曲データを前記車載端末に配信することを特徴とする。
【００２１】
また、上記課題を解決するために、本発明による楽曲データ配信方法は、車載端末は、車載端末が載置されている車の位置に関する情報を検出し、車の位置に関する情報を配信会社サーバへ送信する配信し、配信会社サーバは、車載端末から車の位置に関する情報を受信し、車の位置に関する情報に対応する楽曲データを検索し、検索された楽曲データを車載端末に配信することを特徴とする。
【００２２】
さらに、現在位置情報は、車載端末が載置されている車が、海岸部、山間部又は都市部の何れにあるかを示す情報であることが好ましい。車の位置に応じた楽曲の選択ができるようにするためである。
【００２３】
さらに、車載端末は、季節情報を検知し、季節情報を配信会社に送信することが好ましく、季節情報は四季を表す情報であることが好ましい。四季に応じた楽曲の選択ができるようにしたものである。
【００２４】
さらに、車載端末は、車の搭乗者に関する搭乗者情報を入力し、搭乗者情報を配信会社に送信することが好ましく、搭乗者情報は搭乗者の年齢又は性別を表す情報であることが好ましい。搭乗者の嗜好に合致した楽曲の選択ができるようにしたものである。
【００２５】
また、上記課題を解決するために、本発明による楽曲データ配信方法は、表示部及びスピーカを有する車載端末において、配信会社サーバから文字データを受信し、文字データを表示部又はスピーカを用いて再生し、配信会社サーバから楽曲データの配信を受け、配信された楽曲データを表示部又はスピーカを用いて再生することを特徴とする。
【００２６】
さらに、車載端末は、スピーカを用いて、受信した文字データを音声合成読上手段によって再生することが好ましく、文字データは、楽曲データの曲名、アーティスト名、又は配信価格に関するデータであることが好ましい。
【００２７】
さらに、車載端末は、文字データの再生中に、楽曲データの配信を受けることが好ましい。配信に時間の係る楽曲データの配信中に、文字データの再生を行うこととしたものである。
【発明の効果】
【００２８】
搭乗者は、簡単な操作で、且つ安全に配信を希望する楽曲データの配信を受けることが可能となる。
【発明を実施するための最良の形態】
【００２９】
以下、本発明の実施形態を図面を参照しながら説明する。
【００３０】
図１は、本発明の楽曲データ配信方法に係わるシステムを説明するための概略図である。１０はインターネット等のネットワーク、２０はネットワーク１０に接続された配信会社サーバ、３０はネットワーク１０に接続されたプロバイダ、５０はネットワーク１０に接続された放送局又は放送局端末である。６０は車に載置されている車載端末である。
【００３１】
配信会社サーバ２０は、ＣＰＵ等から構成され、各種通信機能及びデータ処理機能等を有する処理部２１、キーボード及びマウス等から構成され、各種データの入力が可能な入力部２２、ディスプレイ及びプリンタ等から構成され、各種データの表示又はプリントアウト等が可能な出力部２３、メモリ等から構成され、各種データの記憶が可能な記憶部２４を有している。また、記憶部２４には、配信会社サーバにおける各種処理を実行するためのメインプログラム、後述する情報データベース２５（以下「情報ＤＢ」と言う）が記憶されている。
【００３２】
車載端末６０は、ＣＰＵ等から構成され各種データ処理機能等を有する処理部６１、キーボード、マウス又はリモコン等から構成され各種データの入力が可能な入力部２２、液晶ディスプレイ及びスピーカ等から構成され各種データの表示及び音声出力が可能な出力部６３、メモリ等から構成され各種データの記憶が可能な記憶部６４、ＧＰＳチューナ６５、車載端末が載置されている車の各種情報を検知するセンサ６６、運転手を含む搭乗者の音声を入力するためのマイク６７、放送局からのＴＶ又はラジオ信号を受信するためのチューナ６８、ＮＴＴ等の電話局４０及びプロバイダを介してインターネットとの接続するための送受信部６９を有している。
【００３３】
ＧＰＳチューナ６５は、複数のＧＰＳ衛星からの情報に基づき、車の現在位置情報及び時刻情報を得ている。またチューナ６８は、出力部６３から表示又は音声出力を行えるように、放送局からのＴＶ又はラジオ信号を受信している。さらに、記憶部６４には、地図情報等が記憶されている。
【００３４】
図１に示すシステムでは、まず車載端末６０からの配信を依頼する情報が、送受信部６９から電話会社４０、プロバイダ３０及びインターネット１０を介して配信会社サーバ２０へ送信される。次に、配信会社サーバ２０から楽曲データが車載端末６０に配信されて、所定のソフトウエアによって再生されて、出力部６３から画像又は音声出力として搭乗者が楽しめるように構成されている。さらに、車載端末は、ＤＶＤ、ＣＤ、ＭＤ又はテープ等の再生も可能であって、ＤＶＤ−ＲＯＭ又はＣＤ−ＲＯＭ等を用いたＧＰＳナビゲーションシステムを兼用していることが好ましい。
【００３５】
（第１の実施形態）
図１に示すシステム構成を利用した第１の実施形態について図２を用いて以下に説明する。図２は、配信を希望する楽曲データの検索と配信の手順を示したフロー図である。図２の手順は、配信会社サーバ２０では、配信会社サーバ２０の記憶部２４に記憶されたメインプログラムにしたがって処理部２１が実行し、車載端末６０では、車載端末６０の記憶部６４に記憶されたメインプログラムにしたがって処理部６１が実行することとなる。
【００３６】
車載端末６０は、通常は、ＴＶ放送又はラジオ放送の受信器として、またＧＰＳシステムを利用したナビゲーション装置として機能しているものとする。最初に、搭乗者はマイク６７を用いた音声入力操作によって、希望の曲を検索する検索モードへ車載端末６０の動作を切り替える（ステップ２０２）。音声入力操作機構には、種々の公知の機構を使用することが可能であって、音声認識用のプログラムが記憶部６４に予め記憶されており、処理部６１によって実行される。ここでは、例えば、搭乗者が「検索画面！」と声を発すと、それに従って、出力部６３のディスプレイが、図７に示すような画面に切り替わるように構成されている。なお、画面を切り替える音声コマンドは、自由に設定できるものとする。また、音声入力操作機構の代わりに、入力部６２のキーボタンやリモコンを用いても操作することも可能である。
【００３７】
次に、搭乗者は、検索モードの種類を選択する（ステップ２０３）。検索モードの種類は、図７に示すように、メロディによる検索、曲名による検索、アーティスト名による検索、ジャンルによる検索、及びオムニバスプログラムの検索がある。選択は、音声入力操作機構によって行われる。図７は、メロディ検索が選択された状態を示している。選択は、例えば、搭乗者が「１番！」と声を発することにより行われる。
【００３８】
また、これらの検索は、重複して実行できるようにすることが好ましい。例えば、曲名検索とアーティスト検索をかけ合わせて、絞り込み検索ができるようにすることが好ましい。なお、オムニバスプログラムとは、配信会社サーバ２０が提供する、複数の楽曲がパックになったものであって、四季に対応したパック、海に対応したパック、山に対応したパック、夜に対応したパック等がある。また、各パックの内容は、配信会社サーバ２０側で、一定期間毎に変更することが好ましい。
【００３９】
次に、搭乗者は、配信を希望する楽曲データを検索するための情報をマイク６７を用いて音声入力する（ステップ２０４）。ステップ２０３でメロディ検索を選択した場合には、希望する楽曲のメロディを口ずさむ又は鼻歌として歌うこととなる。曲名による検索、アーティスト名による検索又はジャンルによる検索をした場合には、搭乗者はそれぞれに対応する声を発することとなる。オムニバス検索の場合には、音声入力等は行われず、ステップ２１０へ飛んで、予め用意されているオムニバスのパックの種類が出力部６３に表示される。
【００４０】
次に、車載端末６０は、入力された音声入力から所定のプログラムに従ってデータを生成し、記憶部６４に記憶する（ステップ２０５）。メロディ検索の場合には、車載端末６０は、音声入力から音程（ピッチ）を認識し、複数の認識されたピッチから構成されるピッチデータを生成する。曲名による検索、アーティスト名による検索又はジャンルによる検索をした場合には、搭乗者の音声が認識されて、認識された内容のデジタルデータが生成されることとなる。
【００４１】
音声入力のピッチの認識及びピッチデータの作成は、公知の種々の方法を採用することができる。例えば、音声波形の上で周期的ピークを検出する波形処理法、相関処理法又はスペクトル処理法などを採用することが可能である。
【００４２】
次に、車載端末６０は、生成されたデータを送受信部６９、電話会社４０、プロバイダ３０及びインターネット１０を介して配信会社２０へ送信する（ステップ２０６）。
【００４３】
配信会社サーバ２０は、車載端末６０からのアクセスを受け、車載端末６０が登録されたユーザであるか否か等を判断した上で、データを受信する（ステップ２０７）。
【００４４】
次に、配信会社サーバ２０は、受信したデータと全部又は一部が一致するデータを有する楽曲データを情報ＤＢ２５を用いて検索する（ステップ２０８）。情報ＤＢ２５は、図６に示すようなデータ項目が記憶されたデータベースである。図６において、６０１は曲コード、６０２は曲名、６０３はアーティスト名、６０４は歌謡曲、ジャズ等といったジャンル、６０５は曲の歌詞データ、６０６は曲のピッチデータ、６０７は文字データ、６０８は該当する楽曲データの対応年齢、６０９は該当する楽曲データの対応性別、６１０は該当する楽曲データの対応季節情報、６１１は該当する楽曲データの対応地図情報、６１２は配信をする場合に車載端末６０に対して一曲あたり課金される配信価格、６１３は音楽再生可能な該当する楽曲のサビの部分のみのデータ、及び６１４は音楽再生可能な楽曲データである。なお、情報ＤＢ２５に記憶されるデータ項目は、これらに限定されることなく、必要に応じて、削除及び追加することができるものとする。
【００４５】
ここで、文字データ６０７は、該当する曲に関する情報、例えば該当する曲を歌っている歌手の次の新譜情報又はコンサート情報等を言い、車載端末の出力部６３に表示可能なデータである。対応年齢６０８及び対応性別６０９は、搭乗者の嗜好に合致した楽曲を検索するために用いるものであって、配信会社サーバ２０側で、予め決定して記憶しているデータである。
【００４６】
また、楽曲データ６１４は、ＭＰ３（ＭＰＥＧ１  Ａｕｄｉｏ  Ｌａｙｅｒ３）という形式で圧縮されたデータ形式で記憶されているが、他の圧縮技術、例えばＴｗｉｎＶＱ、Ｗｉｎｄｏｗｓ（登録商標）  Ｍｅｄｉａ  Ｔｅｃｈｎｏｌｏｇｉｅｓ、又はＡＴＲＡＣ３等によって圧縮されたデータ形式を採用することも可能である。また、車載端末６０からの指示に応じて、圧縮形式を変更して送信することもできる。
【００４７】
ステップ２０８では、受信したデータと、情報ＤＢの該当するデータとが比較されることとなる。例えば、ステップ２０３でメロディ検索が選択された場合、配信会社サーバ２０が受信したピッチデータと、情報ＤＢ２５に記憶される全てのピッチデータ６０６とが比較されることとなる。同様に、ステップ２０３で、曲名検索が選択された場合には、配信会社サーバ２０が受信した音声認識データと、情報ＤＢ２５に記憶される全ての曲名６０２とが比較されることとなる。
【００４８】
次に、配信会社サーバ２０は、相互のデータが一致するパーセンテージが多い順に、候補曲の抽出を行う（ステップ２０９）。抽出する候補曲の数は、予め５曲とか１０曲とかと決めておいても良いし、何％以上一致したものを全て挙げるようにしても良い。
【００４９】
次に、配信会社サーバ２０は、候補曲情報を車載端末６０へ送信する（ステップ２１０）。「候補曲情報」とは、抽出された候補曲に該当する曲コード６０１、曲名６０２、アーティスト名６０３及びサビデータ６１３等を言い、必要に応じて任意に決定することが可能である。
【００５０】
次に、車載端末６０は、候補曲情報を受信し（ステップ２１１）、図８に示すように出力部６３のディスプレイ等に候補曲情報を表示する。
【００５１】
次に、搭乗者は、出力部６３に表示された候補曲情報の中から、配信を希望する曲を選択する（ステップ２１２）。選択は、音声入力操作機構によって行われる。図８は、３番の曲が選択された状態を示している。選択は、例えば、搭乗者が「３番！」と声を発することにより行われる。
【００５２】
次に、車載端末６０は、候補曲情報の中から選択された曲（対象曲）に関する情報（対象曲情報）を再度配信会社サーバ２０へ送信する（ステップ２１３）。なお、対象曲とするのは、１曲に限定されることなく、複数曲であってもよい。また、対象曲情報としては、配信会社サーバ２０からステップ２１０で送信された「曲コード」６０１であることが好ましい。
【００５３】
次に、配信会社サーバ２０は、対象曲情報を受信し（ステップ２１４）、情報ＤＢ２５を用いて、該当する楽曲データ６１４を抽出し、車載端末６０へ配信する（ステップ２１５）。
【００５４】
車載端末６０は、楽曲データを受信し（ダウンロードし）（ステップ２１６）、予め車載端末６０の記憶部６４に記憶されている所定の解凍ソフトウエアで解凍後、同様に記憶部６４に記憶されている所定の再生ソフトウエアで楽曲データの再生を行い（ステップ２１７）、一連の手順を終了する（ステップ２１８）。
【００５５】
このように、搭乗者は、簡単な操作で、且つ安全に配信を希望する楽曲データの配信を受けることが可能となる。なお、ステップ２０９で、候補曲が一曲に絞れた場合には、車載端末６０へ候補曲情報を送信することなく、該当曲の楽曲データの配信を実行しても良い。
【００５６】
（第２の実施形態）
図１に示すシステム構成を利用した第２の実施形態について図３を用いて以下に説明する。図３は、第１の実施形態の変形例であって、楽曲データの配信を受ける際に、合わせて文字データも受信する構成となっている。第２の実施形態では、図２のステップ２１２に示す対象曲の選択までは、全く同じであるので、それ以後の手順のみを図３に示す。図３の手順は、配信会社サーバ２０では、配信会社サーバ２０の記憶部２４に記憶されたメインプログラムにしたがって処理部２１が実行し、車載端末６０では、車載端末６０の記憶部６４に記憶されたメインプログラムにしたがって処理部６１が実行することとなる。
【００５７】
車載端末６０は、対象曲情報を配信会社サーバ２０へ送信する（ステップ３０２）。
【００５８】
配信会社サーバ２０は、対象曲情報を受信し（ステップ３０３）、情報ＤＢ２５を用いて、該当する文字データ６０７及び楽曲データ６１４を抽出し、最初に文字データを車載端末６０へ送信する（ステップ３０４）。文字データ６０７は、上述したように楽曲データに関連するデータであり、通常楽曲データ６１４よりデータ量が少ない。そこで、データ量が多く、配信に時間を必要とする楽曲データ６１４に先駆けて、まず文字データ６０７を送信することとしたものである。
【００５９】
車載端末６０は、対象曲に対応する文字データ６０７を受信し（ステップ３０５）、受信した旨の受信報告を配信会社サーバ２０へ送信すると共に、受信した文字データを出力部６３のディスプレイ等へ再生するための処理を開始する（ステップ３０６）。
【００６０】
配信会社サーバ２０は、受信報告を受信し（ステップ３０７）、対象曲に対応する楽曲データの配信を行う（ステップ３０８）。楽曲データ６１４の配信が完了するには時間が必要であるが、その間にステップ３０５で受信した文字データを再生していれば、車の搭乗者に退屈な思いをさせなくてすむ。
【００６１】
車載端末６０は、楽曲データを受信し（ステップ３０９）、所定の解凍ソフトウエアで解凍後、所定の再生ソフトウエアで楽曲データの再生を行い（ステップ３１０）、一連の手順を終了する（ステップ３１１）。
【００６２】
このように、楽曲データの配信に必要とされる時間の間に、文字データの再生を行うことにより、配信の完了を待つ時間を有効に活用することができる。なお、文字データは、出力部６３のディスプレイに表示させるだけでなく、車載端末６０に内蔵された、公知の音声合成読上手段（不図示）によって、読上げられるようにすることが好ましい。運転手を含む搭乗者が文字を読取ることは困難な状況もあるからである。
【００６３】
（第３の実施形態）
図１に示すシステム構成を利用した第３の実施形態について図４を用いて以下に説明する。図４は、配信を希望する楽曲データの検索と配信の手順を示したフロー図である。ここでは、搭乗者が自己の嗜好に関する情報（ドライバ情報と言う）を入力すると、車載端末がＧＰＳ情報や地図情報から現在運転をしている状況を特定して、特定した状況に合致した楽曲データの配信が自動的に受けられることとなる。図４の手順は、配信会社サーバ２０では、配信会社サーバ２０の記憶部２４に記憶されたメインプログラムにしたがって処理部２１が実行し、車載端末６０では、車載端末６０の記憶部６４に記憶されたメインプログラムにしたがって処理部６１が実行することとなる。
【００６４】
車載端末６０は、通常は、ＴＶ放送又はラジオ放送の受信器として、またＧＰＳシステムを利用したナビゲーション装置として機能しているものとする。最初に、搭乗者はマイク６７を用いた音声入力操作によって、希望の曲を検索する検索モードへ車載端末６０の動作を切り替える（ステップ４０２）。
【００６５】
次に、搭乗者は、搭乗者自身の嗜好に関するドライバ情報を車載端末６０の入力部６２又はマイク６７を用いて入力する（ステップ４０３）。「ドライバ情報」とは、例えば、運転手を含む搭乗者の年齢、性別等を言う。
【００６６】
次に、車載端末６０は、ＧＰＳチューナ６５からの情報に基いて、現在の日時情報を検出し、検出した日時情報から現時点の季節の区分を判断し、判断結果を季節情報として検出する（ステップ４０４）。なお、季節情報は、四季に限られず、さらに多くの区分を設けても良い。
【００６７】
次に、車載端末６０は、ＧＰＳチューナ６５からの情報に基いて、車の現在の位置情報を検出し、検出した現在位置情報により記憶部６４に記憶されている地図データを用いて、車の現在位置が、「海岸部」、「山間部」及び「都市部」の何れにあるかを判断し、判断結果を現在位置に関する情報として検出する（ステップ４０５）。車載端末６０の記憶部６４に記憶される地図データには、予め、各地点が「海岸部」、「山間部」及び「都市部」の何れにあるかの識別がなされているものとする。さらに、区分は「海岸部」、「山間部」及び「都市部」の３つに限定されず、さらに多くの区分を設けても良い。
【００６８】
次に、車載端末６０は、ドライバ情報、季節情報及び現在位置に関する情報を配信会社サーバ２０へ送信する（ステップ４０６）。
【００６９】
配信会社サーバ２０は、ドライバ情報、季節情報及び現在位置に関する情報を受信し（ステップ４０７）、受信した情報に合致する曲を抽出するために情報ＤＢ２５の検索を行う（ステップ４０８）。「ドライバ情報」が２５歳―男性、「季節情報」が夏、及び「現在位置に関する情報」が海岸部であったとすれば、これらのデータと情報ＤＢ２５の全ての対応年齢６０８、対応性別６０９、対応季節情報６１０及び対応地図情報６１１とが比較されることとなる。
【００７０】
なお、候補曲の抽出から楽曲データの再生までの手順（図４のステップ４０９〜４１７）は、第１の実施形態についての図２のステップ２０９〜２１７までと同一であるので、説明を省略する。
【００７１】
このように、搭乗者の情報や、車載端末６０が載置されている車の情報から、車の状況に最も適した曲の候補曲が自動的に選択されるので、簡単且つ安全に楽曲データの配信を受けることが可能となる。尚、上述した例に限らず、車載端末６０からは車の現在位置情報（例えば座標データ）を送信し、配信会社サーバ２０はこの現在位置情報に基づき、自己の保有している季節データや地図データから現在の季節や車の現在位置（「海岸部」や「山間部」等）を判断して候補曲を選択するようにしても良い。また現在位置だけでなく車載端末で予め設定された目的地を採用しても良い。
【００７２】
（第４の実施形態）
図１に示すシステム構成を利用した第４の実施形態について図５を用いて以下に説明する。図５は、放送局５０からのＴＶ又はラジオ放送受信中に、配信を希望する曲が見つかった場合、速やかに希望する曲の配信を受けるための手順を示したフロー図である。図５の手順は、配信会社サーバ２０では、配信会社サーバ２０の記憶部２４に記憶されたメインプログラムにしたがって処理部２１が実行し、車載端末６０では、車載端末６０の記憶部６４に記憶されたメインプログラムにしたがって処理部６１が実行することとなる。
【００７３】
車載端末６０は、ＴＶ又はラジオ放送の受信器として機能し、車の搭乗者はＴＶ又はラジオ放送を視聴しているものとする。搭乗者は、ＴＶ又はラジオ放送を視聴している最中に、配信を希望する曲がかかったら、予め決められたトリガ入力を行う（ステップ５０２）。トリガ入力としては、車載端末６０の入力部６２の各種キーボタンや、マイク６７を通じての音声入力がある。第１の実施形態において説明したように、音声入力操作機構によって、例えば、搭乗者が「今かかっている曲！」と声を発すと、それに従って、トリガ入力がなされるように構成されることが好ましい。
【００７４】
次に、車載端末６０は、チューナ６８から、現在の視聴している放送局を特定する情報を検出する（ステップ５０３）。
【００７５】
次に、車載端末６０は、ＧＰＳチューナ６５から、トリガ入力がなされた直後の時刻情報を検出する（ステップ５０４）。
【００７６】
次に、車載端末６０は、ステップ５０３で検出された放送局の端末５０に対して、ステップ５０４で検出した時刻情報及び曲名検索依頼情報を送信する（ステップ５０５）。
【００７７】
放送局端末５０は、時刻情報及び曲名検索依頼情報を受信し（ステップ５０６）、受信した時刻情報に該当する時に、自己が放送していた曲に関する曲名情報を検索する（ステップ５０７）。「曲名情報」とは、情報ＤＢ２５の曲コード６０１、曲名６０２に相当するデータであることが好ましい。また、各放送局端末は、各放送局が放送した曲名情報を放送した時刻情報と合わせてデータベース化しているものとする。
【００７８】
次に、放送局端末５０は、検索された曲名情報を車載端末６０へ送信する（ステップ５０８）。
【００７９】
車載端末６０は、曲名情報を受信し（ステップ５０９）、受信した曲名情報を配信会社サーバ２０へ送信する（ステップ５１０）。
【００８０】
配信会社サーバ２０は、曲名情報（情報ＤＢ２５の曲名６０２に相当するものとする）を受信して（ステップ５１１）、受信した曲名情報に対応する楽曲データを情報ＤＢ２５を用いて抽出し、車載端末６０へ送信する（ステップ５１２）。
【００８１】
車載端末６０は、楽曲データを受信して（ステップ５１３）、所定の方法により再生して（ステップ５１４）、一連の手順を終了する（ステップ５１５）。
【００８２】
このように、車載端末６０において、放送局からの放送を視聴中に、適当なトリガ入力を行うことにより。トリガ入力が車載端末に検知された時点で放送されていた曲の楽曲データが簡単且つ安全に配信されることが可能となる。
【００８３】
なお、図５の例では、車載端末６０が放送局端末５０にアクセスして曲名情報を入手したが、車載端末６０が放送局と時刻を特定するデータを配信会社サーバ２０に送信し、配信会社サーバ２０が各放送局にアクセスして曲名情報を入手するようにしても良い。
【００８４】
さらに、放送中にかかっている曲を特定するために必要な情報、例えば放送番組を特定する情報が必要な場合には、チューナ６８からそれらの情報を検出できるようにすることが好ましい。
【図面の簡単な説明】
【００８５】
【図１】本発明の楽曲データ配信方法を実施するためのシステムの概要を示す図である。
【図２】本発明の第１の実施形態に係わる楽曲データ配信方法における手順を示すフロー図である。
【図３】本発明の第２の実施形態に係わる楽曲データ配信方法における手順を示すフロー図である。
【図４】本発明の第３の実施形態に係わる楽曲データ配信方法における手順を示すフロー図である。
【図５】本発明の第４の実施形態に係わる楽曲データ配信方法における手順を示すフロー図である。
【図６】情報ＤＢの一例を示す図である。
【図７】検索モードを選択する画面の一例を示す図である。
【図８】候補曲リストを示す画面の一例を示す図である。
【符号の説明】
【００８６】
１０    ネットワーク
２０    配信会社サーバ
３０    プロバイダ
４０    電話会社
５０    放送局端末
６０    車載端末
【図１】
2008122973.tif 000003
【図２】
2008122973.tif 000004
【図３】
2008122973.tif 000005
【図４】
2008122973.tif 000006
【図５】
2008122973.tif 000007
【図６】
2008122973.tif 000008
【図７】
2008122973.tif 000009
【図８】
2008122973.tif 000010